(57)【要約】【課題】ある方向の力を加えることで容易に破断することができて、合成樹脂部分だけを取付相手部材から取り外すことのできる合成樹脂部品の取付ブラケットを提供する。【解決手段】ボルト挿通孔２１にボルトを挿通させて締め付けることにより車体に固定されるワイヤーハーネスプロテクタ１の取付ブラケット２０であって、ブラケット本体２０Ａのボルト挿通孔の内周に補強用の金属カラー３０が嵌め込まれたものにおいて、金属カラーの外周に、反対方向（矢印Ａ方向）への大きな荷重が加えられたときに、ボルト挿通孔の周壁の破断を誘発する突起３５を設けた。突起は、先端３５ａが尖った山形をなしており、その突起を、ボルト挿通孔の周壁のうち他の部分よりも幅が狭く形成された部分２３に向けて、金属カラーが嵌め込まれている。【選択図】図３
2008286218.tif 000002
【特許請求の範囲】
【請求項１】
ボルト挿通孔にボルトを挿通させて締め付けることにより取付相手部材に固定される合成樹脂部品の取付ブラケットであって、合成樹脂部品に一体に形成されたブラケット本体の前記ボルト挿通孔の内周に補強用の金属カラーが嵌め込まれた合成樹脂部品の取付ブラケットにおいて、
前記金属カラーの外周に、反対方向への大きな荷重が加えられたときに、前記ボルト挿通孔の周壁の破断を誘発する突起を設けたことを特徴とする合成樹脂部品の取付ブラケット。
【請求項２】
請求項１に記載の合成樹脂部品の取付ブラケットであって、
前記突起が、先端の尖った山形をなしていることを特徴とする合成樹脂部品の取付ブラケット。
【請求項３】
請求項１または２に記載の合成樹脂部品の取付ブラケットであって、
前記ボルト挿通孔の周壁のうち、前記合成樹脂部品の本体側から見て外側に位置する部分が、他の部分よりも幅が狭く形成されており、その幅が狭く形成された部分に向けて前記突起が配置されていることを特徴とする合成樹脂部品の取付ブラケット。
【請求項４】
請求項１〜３のいずれか１項に記載の合成樹脂部品の取付ブラケットであって、
前記合成樹脂部品が、ワイヤーハーネスを保護しつつ車体に固定するプロテクタであることを特徴とする合成樹脂部品の取付ブラケット。
【発明の詳細な説明】
【技術分野】
【０００１】
本発明は、主に車両に搭載されるワイヤーハーネスプロテクタ等の合成樹脂部品の取付ブラケットに関するものである。
【背景技術】
【０００２】
車両にワイヤーハーネスを固定する場合、合成樹脂製のプロテクタを用いて行うことが多く、プロテクタに一体に形成した取付ブラケットのボルト挿通孔にボルトを通し、そのボルトで取付ブラケットを車体に締結することにより、プロテクタを固定し、ワイヤーハーネスを車体に固定している。この場合、樹脂製の取付ブラケットは締め込みにより破損しやすいので、それを防ぐために、ボルト挿通孔の内周に補強用の金属カラーを嵌め込むことが広く行われている（例えば、特許文献１参照）。
【０００３】
図４はその場合の例を示している。
【０００４】
このプロテクタ１０１は、プロテクタ本体１１０に取付ブラケット１２０を一体に設け、取付ブラケット１２０のボルト挿通孔１２１の内周に、補強用の金属カラー１３０を嵌め込んでいる。金属カラー１３０は、図５に示すように、筒状体１３１の一端にフランジ１３２を設け、他端に回り止め用の小突起１３３を設けたもので、ボルト挿通孔１２１の内周に、インサート成形によって、あるいは、圧入によって嵌め込まれている。
【特許文献１】実開昭５７−７３４０６号公報
【発明の開示】
【発明が解決しようとする課題】
【０００５】
ところで、従来の金属カラー付きプロテクタは、車体から取り外すことを考慮していなかったため、車両のリサイクル等の要請に応じて車体から取り外す際に、取り付けボルトを外してから、プロテクタを取り外さざるを得ず、解体作業が煩わしいという問題があった。また、プロテクタの樹脂部分と金属カラーを分別するのも容易ではなかった。
【０００６】
本発明は、上記事情を考慮し、ある方向の力を加えることで容易に破断することができて、合成樹脂部分だけを取付相手部材から取り外すことのできる合成樹脂部品の取付ブラケットを提供することを目的とする。
【課題を解決するための手段】
【０００７】
請求項１の発明は、ボルト挿通孔にボルトを挿通させて締め付けることにより取付相手部材に固定される合成樹脂部品の取付ブラケットであって、合成樹脂部品に一体に形成されたブラケット本体の前記ボルト挿通孔の内周に補強用の金属カラーが嵌め込まれた合成樹脂部品の取付ブラケットにおいて、前記金属カラーの外周に、反対方向への大きな荷重が加えられたときに、前記ボルト挿通孔の周壁の破断を誘発する突起を設けたことを特徴とする。
【０００８】
請求項２の発明は、請求項１に記載の合成樹脂部品の取付ブラケットであって、前記突起が、先端の尖った山形をなしていることを特徴とする。
【０００９】
請求項３の発明は、請求項１または２に記載の合成樹脂部品の取付ブラケットであって、前記ボルト挿通孔の周壁のうち、前記合成樹脂部品の本体側から見て外側に位置する部分が、他の部分よりも幅が狭く形成されており、その幅が狭く形成された部分に向けて前記突起が配置されていることを特徴とする。
【００１０】
請求項４の発明は、請求項１〜３のいずれか１項に記載の合成樹脂部品の取付ブラケットであって、前記合成樹脂部品が、ワイヤーハーネスを保護しつつ車体に固定するプロテクタであることを特徴とする。
【発明の効果】
【００１１】
請求項１の発明によれば、金属カラーの突起のある側と反対方向に合成樹脂部品を強く引っ張ることにより、突起による誘発作用によりボルト挿通孔の周壁を容易に破断させることができ、ボルトを取り外さないまま、金属カラーだけを残して、合成樹脂部分を取付相手部材からきれいに取り外すことができる。従って、解体が容易であると共に、金属と樹脂の分別の面倒を無くすことができる。
【００１２】
請求項２の発明によれば、突起が先端の尖った山形をなしているので、破断の誘発力を大きくすることができる。
【００１３】
請求項３の発明によれば、合成樹脂部品の本体側から見て外側に位置する、ボルト挿通孔の周壁の幅の狭い部分に突起を向けて金属カラーを嵌め込んでいるので、本体側を強く引っ張ることにより、簡単にボルト挿通孔の周壁を破断させることができ、解体が容易にできるようになる。
【００１４】
請求項４の発明によれば、ワイヤーハーネスプロテクタに適用したので、ワイヤーハーネスにフックを引っ掛けて強く引っ張り上げるだけで、金属カラーを残してワイヤーハーネスと共にプロテクタの樹脂部分だけをきれいに回収することができ、プロテクタのリサイクル性の向上が図れる。
【発明を実施するための最良の形態】
【００１５】
以下、本発明の実施形態を図面を参照して説明する。
【００１６】
図１は実施形態の取付ブラケットを設けたワイヤーハーネスプロテクタ（合成樹脂部品）の構成を示す斜視図、図２はその取付ブラケットに嵌め込まれている金属カラーの単体の構成を示す斜視図、図３は前記取付ブラケットの構成を拡大して示す斜視図である。
【００１７】
このプロテクタ（合成樹脂部品）１は、ワイヤーハーネスを保護する部分であるＬ字形のプロテクタ本体１０と、プロテクタ本体１０のＬ形屈曲部の内側に一体に成形された取付ブラケット２０とを有する。取付ブラケット２０は、合成樹脂でプロテクタ本体１０と一体に形成されたブラケット本体２０Ａのボルト挿通孔２１の内周に、補強用の金属カラー３０を嵌め込んだものである。金属カラー３０の嵌め込みは、ブラケット本体２０Ａのインサート成形により、または、成形後の圧入により行う。このプロテクタ１は、ボルト挿通孔２１の内周に嵌め込んだ金属カラー３０の内部にボルトを通して取付相手部材である車体パネルに締結することにより、車体に固定されるものである。
【００１８】
金属カラー３０は、断面長円状の筒状体３１の軸方向の一端にフランジ３２を設け、他端に回り止め用の小突起３３を周方向に幾つか間隔をおいて設け、更に筒状体３１の外周に、先端３５ａの尖った断面山形の破断誘発用の突起３５を設けたものである。破断誘発用の突起３５は、該突起３５と反対方向（矢印Ａ方向）へ大きな荷重が加えられたときに、ボルト挿通孔２１の周壁の破断を誘発するためのものであり、筒状体３１のフランジ３２に接する部分から小突起３３のある部分の近傍まで連続した山形断面で形成され、高さはフランジ３２の径方向外方への突出高さとほぼ等しく設定されている。
【００１９】
また、取付ブラケット２０は、ボルト挿通孔２１の周壁のうち、プロテクタ本体１０側から見て外側に位置する部分が、他の部分よりも幅が狭く形成されており、その幅が狭く形成された部分２３に向けて、前記破断誘発用の突起３５が配置されている。
【００２０】
このような構成のプロテクタによれば、金属カラー３０の突起３５のある側と反対方向（矢印Ａ方向）にプロテクタ本体１０を強く引っ張ることにより、突起３５による誘発作用により、ボルト挿通孔２１の周壁を容易に破断させることができ、ボルトを取り外さないまま、金属カラー３５だけを残して、合成樹脂部分を取付相手部材である車体パネルからきれいに取り外すことができる。従って、解体が容易であると共に、金属と樹脂の分別の面倒を無くすことができる。
【００２１】
特に、破断誘発用の突起３５は、先端３５ａが尖った山形をなしているので、小さな力で取付ブラケット２０をきれいに破断させることができるし、ボルト挿通孔２１の周壁の幅の狭い部分２３に突起３５を向けて金属カラー３０を嵌め込んでいるので、プロテクタ本体１０側を強く引っ張ることにより、簡単にボルト挿通孔２１の周壁を破断させることができる。
【００２２】
なお、プロテクタ１はワイヤーハーネスごと取り外すことも可能である。その場合は、ワイヤーハーネス（図示略）にフックを引っ掛けて、矢印Ａ方向に強く引っ張るだけで、金属カラー３５を残して、ワイヤーハーネスと共にプロテクタ１の樹脂部分だけをきれいに回収することができ、プロテクタ１のリサイクル性の向上が図れる。
【図面の簡単な説明】
【００２３】
【図１】本発明の実施形態の取付ブラケットを設けたワイヤーハーネスプロテクタ（合成樹脂部品）の構成を示す斜視図である。
【図２】その取付ブラケットに嵌め込まれている金属カラーの単体の構成を示す斜視図である。
【図３】前記取付ブラケットの構成を拡大して示す斜視図である。
【図４】従来の金属カラー付き取付ブラケットを備えたプロテクタの構成を示す斜視図である。
【図５】その取付ブラケットに嵌め込まれている従来の金属カラーの単体の構成を示す斜視図である。
【符号の説明】
【００２４】
１  プロテクタ（合成樹脂部品）
１０  プロテクタ本体
２０  取付ブラケット
２０Ａ  ブラケット本体
２１  ボルト挿通孔
２３  ボルト挿通孔の周壁のうち幅が狭く形成された部分
３０  金属カラー
３５  突起
３５ａ  先端
【図１】
2008286218.tif 000003
【図２】
2008286218.tif 000004
【図３】
2008286218.tif 000005
【図４】
2008286218.tif 000006
【図５】
2008286218.tif 000007